(57)【要約】      （修正有）【課題】車両の助手席に設置し利用できる車載シャワーユニットを提供する。【解決手段】車両１の助手席に設置可能な構造を有する防水シート３０と、水を蓄えることが可能なタンク５０と、タンクと接続可能なシャワーヘッド４１を備える。防水シートは、助手席の座面上を覆う座面部３１と、少なくとも座面の運転手席側の側部から上方に延び出した側面部３２を有している。また側面部は、座面の運転手席側とは反対側の側部から上方に延び出した部分３３も有しており、運転手が安全窓１５の少なくとも１／３以上を見ることが可能なように設けられる。防水シートの座面部は、助手席の座面の前方下部まで延びるように設けられ、さらに前側に水受け部を備える。さらに、シガーソケットを電源として用いることで駆動し、タンク内の水をシャワーヘッドまで汲み上げる電動ポンプ４４を備える。【選択図】図３
0003189423.tif 000002
【実用新案登録請求の範囲】
【請求項１】
車両の助手席に設置可能な構造を有する防水シートと、
水を蓄えることが可能なタンクと、
前記タンクと接続可能なシャワーヘッドと、
を備えた車載シャワーユニット。
【請求項２】
前記防水シートは、助手席の座面上を覆う座面部と、少なくとも座面の運転手席側の側部から上方に延び出した側面部を有している、
請求項１に記載の車載シャワーユニット。
【請求項３】
助手席側のドアの前側下方に安全窓が設けられているトラックまたはトレーラーに設置して用いられ、
前記側面部は、前記座面の運転手席側とは反対側の側部から上方に延び出した部分も有しており、
設置状態において、運転手席に座った運転手が前記安全窓の少なくとも１／３以上を見ることが可能なように前記側面部が設けられている、
請求項２に記載の車載シャワーユニット。
【請求項４】
前記防水シートの前記座面部は、助手席に設置した状態で助手席の座面の前方下部まで延びるように設けられており、
前記助手席の前方下部のさらに前側に設置可能な水受け部をさらに備えた、
請求項１から３のいずれか１項に記載の車載シャワーユニット。
【請求項５】
前記防水シートは、助手席のシートベルトによって助手席に固定可能な構造を有している、
請求項１から４のいずれか１項に記載の車載シャワーユニット。
【請求項６】
前記タンクの内部の水を加熱するための加熱手段をさらに備えた、
請求項１から５のいずれか１項に記載の車載シャワーユニット。
【請求項７】
シガーソケットを備えた車両に設置して用いられ、
前記シガーソケットを電源として用いることで駆動し、前記タンク内の水を前記シャワーヘッドまで汲み上げる電動ポンプをさらに備えた、
請求項１から６のいずれか１項に記載の車載シャワーユニット。
【考案の詳細な説明】
【技術分野】
【０００１】
本考案は、車載シャワーユニットに関する。
【背景技術】
【０００２】
従来より、車両の中でシャワーを利用することができるように、車載されたシャワーユニットがある。
【０００３】
例えば、特許文献１、特許文献２、特許文献３では、キャンピングカー等の後部のスペースに設けられた流し台の蛇口にシャワーホースを接続してシャワーを利用することが提案されている。
【０００４】
また、特許文献４では、バス設備が搭載されて長期滞在が可能であり、牽引車両によって牽引搬送されるトレーラーハウスが提案されている。
【０００５】
さらに、特許文献５では、巡回入浴等の介護サービスを提供することが可能となるように車両の後部に浴槽を設置することが提案されている。
【先行技術文献】
【特許文献】
【０００６】
【特許文献１】特開平０８−３１０３１５号公報
【特許文献２】特開平１０−５３０６３号公報
【特許文献３】特開平０７−３２３７９３号公報
【特許文献４】特開２００４−１３６７６４号公報
【特許文献５】特開２００１−１０８２９８号公報
【考案の概要】
【考案が解決しようとする課題】
【０００７】
上述のように、従来より、車両の内部でシャワーを利用できるように、車載のシャワー設備が提案されているが、いずれも車両の後部のスペースを利用することが前提になっている。
【０００８】
このため、例えば、運転手席と助手席だけが設けられており、後部が輸送用の物品を積載する構造となっているために他の目的での利用が困難なトラックやトレーラー等の車両に対しては、従来のシャワーユニットを適用することができない。
【０００９】
例えば、物品の長距離輸送を行うトラックやトレーラーでは、交代して運転する人を助手席に待機させておくことは人件費を抑える観点から現実的ではなく、助手席が設けられているにも関わらず利用されていないのが現状である。
【００１０】
また、このように長距離の運転を１人で行う場合には疲労が生じやすく、疲労が回復しないままの運転ではミスも生じやすい。このため、簡易的であってもシャワーを利用して疲労を軽減させることが望まれる。
【００１１】
本考案は上述した点に鑑みてなされたものであり、本考案の課題は、車両の助手席に設置して利用することが可能な車載シャワーユニットを提供することにある。
【課題を解決するための手段】
【００１２】
第１観点に係る車載シャワーユニットは、車両の助手席に設置可能な構造を有する防水シートと、水を蓄えることが可能なタンクと、タンクと接続可能なシャワーヘッドを備えている。
【００１３】
この車載シャワーユニットは、防水シートを車両の助手席に設置することで、タンクに接続されたシャワーヘッドを用いて、助手席が濡れる程度を小さく抑えてシャワーを利用することが可能になる。これにより、助手席のスペースを利用してシャワーを利用することが可能になる。
【００１４】
第２観点に係る車載シャワーユニットは、第１観点に係る車載シャワーユニットであって、防水シートは、助手席の座面上を覆う座面部と、少なくとも座面の運転手席側の側部から上方に延び出した側面部を有している。
【００１５】
この車載シャワーユニットでは、防水シートが、座面部だけでなく、座面の運転手席側の側部から上方に延び出した側面部を有している。このため、助手席でシャワーを利用したとしても、運転手席側に向けて水が流れて行きにくくすることが可能になる。
【００１６】
第３観点に係る車載シャワーユニットは、第２観点に係る車載シャワーユニットであって、助手席側のドアの下方に安全窓が設けられているトラックまたはトレーラーに設置して用いられる。側面部は、座面の運転手席側とは反対側の側部から上方に延び出した部分も有している。トラックまたはトレーラーに設置された状態において、運転手席に座った運転手が安全窓の少なくとも１／３以上を見ることが可能なように側面部が設けられている。
【００１７】
この車載シャワーユニットでは、防水シートの側面部が助手席の左右に設けられているため、シャワーを利用したとしても助手席の左右方向に水が漏れ出す程度を小さく抑えることが可能になっている。そして、このように、防水シートが助手席の左右方向に水が漏れ出す程度を小さく抑えることが可能な構造を有している場合であっても、側面部は、設置状態において運転手席に座った運転手が安全窓の少なくとも１／３以上を見ることが可能なように設けられているため、防水シートを助手席に設置したままで運転を行うことが可能になり、取り外しが不要になる。
【００１８】
第４観点に係る車載シャワーユニットは、第１観点から第３観点のいずれかに係る車載シャワーユニットであって、水受け部をさらに備えている。防水シートの座面部は、助手席に設置した状態で助手席の座面の前方下部まで延びるように設けられている。水受け部は、助手席の前方下部のさらに前側に設置可能である。
【００１９】
この車載シャワーユニットでは、防水シートによって助手席の前側下方に向けて導かれた水を、水受け部において受けることができる。このため、助手席の前側下方についても濡れにくいようにすることが可能になる。
【００２０】
第５観点に係る車載シャワーユニットは、第１観点から第４観点のいずれかに係る車載シャワーユニットであって、防水シートは、助手席のシートベルトによって助手席に固定可能な構造を有している。
【００２１】
この車載シャワーユニットでは、車両に設けられているシートベルトを利用することにより助手席に固定することが可能になる。
【００２２】
第６観点に係る車載シャワーユニットは、第１観点から第５観点のいずれかに係る車載シャワーユニットであって、タンクの内部の水を加熱するための加熱手段をさらに備えている。
【００２３】
この車載シャワーユニットでは、加熱手段によってタンクの内部の水を加熱することができるため、シャワーで温水を利用することが可能になる。
【００２４】
第７観点に係る車載シャワーユニットは、第１観点から第６観点のいずれかに係る車載シャワーユニットであって、シガーソケットを備えた車両に設置して用いられ、電動ポンプをさらに備えている。電動ポンプは、シガーソケットを電源として用いることで駆動し、タンク内の水をシャワーヘッドまで汲み上げる。
【００２５】
この車載シャワーユニットでは、車両に設けられているシガーソケットを電源として利用することで、別途電源を用意することなくシャワーヘッドまでタンク内の水を汲み上げることが可能になる。
【考案の効果】
【００２６】
第１観点に係る車載シャワーユニットでは、助手席のスペースを利用してシャワーを利用することが可能になる。
【００２７】
第２観点に係る車載シャワーユニットでは、助手席でシャワーを利用したとしても、運転手席側に向けて水が流れて行きにくくすることが可能になる。
【００２８】
第３観点に係る車載シャワーユニットでは、防水シートを助手席に設置したままで運転を行うことが可能になり、取り外しが不要になる。
【００２９】
第４観点に係る車載シャワーユニットでは、助手席の前側下方についても濡れにくいようにすることが可能になる。
【００３０】
第５観点に係る車載シャワーユニットでは、車両に設けられているシートベルトを利用することにより助手席に固定することが可能になる。
【００３１】
第６観点に係る車載シャワーユニットでは、シャワーで温水を利用することが可能になる。
【００３２】
第７観点に係る車載シャワーユニットでは、別途電源を用意することなくシャワーヘッドまでタンク内の水を汲み上げることが可能になる。
【図面の簡単な説明】
【００３３】
【図１】トラックの概略斜視図である。
【図２】トラックの座席部分近傍の側面視概略構成図である。
【図３】車載シャワーユニットが助手席に設置された状態を示す概略斜視図である。
【図４】防水シートおよび水受け部の概略斜視図である。
【図５】シャワーカーテンおよびその枠の概略構成図である。
【図６】タンクおよびシャワーヘッドの概略斜視図である。
【考案を実施するための形態】
【００３４】
以下、本考案に係る車載シャワーユニットの実施形態について、図面に基づいて説明する。なお、本考案にかかる車載シャワーユニットの具体的な構成は、下記の実施形態に限られるものではなく、考案の要旨を逸脱しない範囲で変更可能である。
【００３５】
（１）車載シャワーユニットが積載される車両
本考案に係る車載シャワーユニット１００は、車両１の助手席に設置して用いられる。
【００３６】
車両１としては、特に限定されず、例えば、トレーラーやトラックであることが、助手席周辺のスペースが大きいことから望ましい。
【００３７】
以下の実施形態では、車両１として、トラックを例に挙げて説明する。
【００３８】
なお、以下、前側とは、車両１に車載シャワーユニット１００を設置した状態における進行方向を意味するものとし、後側とは、前側の反対側を意味するものとし、右側とは、車両１に車載シャワーユニット１００を設置した状態で進行方向を向いて右手を意味するものとし、左側とは、右側の反対側を意味するものとする。
【００３９】
車両１は、図１、図２に示すように、運転手席１１と、助手席１２と、フロント窓１３と、助手席側主窓１４、助手席側安全窓１５が設けられている。
【００４０】
助手席側主窓１４は、助手席側のドアの上方に設けられている。
【００４１】
助手席用安全窓１５は、助手席側のドアにおいて、助手席用主窓１４の下方であって前側に設けられている。助手席用安全窓１５は、トラックのように座面が高い車両において、運転手が車両１の前方周囲の状況を視認しやすいように設けられており、例えば、助手席側のドアの前側端部近傍に渡って設けられている。
【００４２】
助手席１２は、座部２２と背部２１を有している。座部２２は、上面を構成する座面２２ａを有しており、背部２１は前面を構成する背面２１ａを有している。
【００４３】
また、助手席１２の左側には、例えば、図３に示すように、助手席窓用カーテンライナー１８と助手席窓用カーテン本体１９が設けられていてもよい。
【００４４】
なお、車両１の助手席には図示しないシートベルトが設けられており、車載シャワーユニット１００の設置固定に利用することができる。
【００４５】
また、車両１には、図３に示すように、シガーソケット１６が設けられている。
【００４６】
（２）車載シャワーユニットの概略構成
車載シャワーユニット１００は、防水シート３０、シャワー部４０、電動ポンプ４４、タンク４６、電気ヒータ４８、水受け部５０、シャワーカーテン部６０、カセットコンロ７０を有している。
【００４７】
防水シート３０は、図３、図４に示すように、助手席１２の座部２２に対して設置される。防水シート３０は、座面部３１と右側面部３２と左側面部３３と後側面部３４とシャワーカーテン固定部３５と図示しない座席固定部を有している。座面部３１は、助手席１２の座面２２ａの上を覆うように広がっており、助手席１２の前側下方にまで伸びるように設けられている。座面部３１のうち、助手席１２の座面２２ａの丈夫に位置する部分は、前後方向に波打った形状となっている。右側面部３２は、座面部３１の座面２２ａの右側の端部から上方に向けて延び出すように設けられた部分が、座面部３１の右側端部において連なるようにして設けられている。左側面部３３は、座面部３１の座面２２ａの左側の端部から上方に向けて延び出すように設けられた部分が、座面部３１の左側端部において連なるようにして設けられている。なお、右側面部３２と左側面部３３とは、図３に示すように、設置状態において、運転手席１１に座った運転手が助手席側のドアの下方に設けられている助手席側安全窓１５を介して車両１の左前方周囲を容易に視認することができる程度の大きさとなるように構成されている。助手席側安全窓１５の視認程度は、特に限定されないが、例えば、助手席側安全窓１５の少なくとも１／３以上を視認可能であることが好ましく、１／２以上を視認可能であることがより好ましい。左側面部３３の内側後側端部近傍には、後述するシャワーカーテン部６０を固定するためのシャワーカーテン固定部３５が形成されている。なお、右側面部３２と左側面部３３とは、座面部３１の後側において後側面部３４を介して連なっている。この後側面部３４には、図示しないが、車両１の助手席１２のシートベルトに対して防水シート３０を固定可能な構造が設けられている。この構造としては、特に限定されないが、例えば、バックルに対してベルトが固定されたプレートを差し込む形式のシートベルトが車両１の助手席１２に設けられている場合には、プレートに対応する位置にバックル類似の構造が設けられ、バックルに対応する位置にプレート類似の構造が設けられていてもよい。なお、防水シート３０は、特に限定されないが、例えば、樹脂等によって構成されている。
【００４８】
水受け部５０は、図３、図４に示すように、設置状態において、防水シート３０の座面部３１の前側端部を内部の後側端部近傍に収容することができるように構成された容器である。この水受け部５０は、水受け本体５１と、排水口５２と、栓５３と、排水ホース５４を有している。排水口５２は、水受け本体５１の設置状態において底面の左側のドア近傍において上下方向に貫通するようにして設けられた開口である。栓５３は、この排水口５２を塞ぐことができるように構成されている。排水ホース５４は、排水口５２の下方に接続され、車両１の助手席側のドアを多少開けた半ドア状態において、車両１の外に排水を導くことができるように構成されている。なお、この排水ホース５４の先端は、端部ほど広がった形状となっている。なお、栓５３によって排水口５２を閉じてシャワーを利用することにより、水受け本体５１内に排水を溜めて、シャワー利用後に水受け本体５１を車外に持ち出して所定の排水場所に排水することもできる。
【００４９】
シャワーカーテン部６０は、図３、図５に示すように、枠フレーム６１と、棒状部６２と、カーテン本体６４を有している。枠フレーム６１は、助手席１２の座面２２ａの大きさに対応した矩形に構成されており、一部から下方に向けて接続部分６１ａが延び出している。棒状部６２は、上端を枠フレーム６１の接続部分６１ａに対して挿入し、下端を上述の防水シート３０のシャワーカーテン固定部３５に対して挿入固定して用いられる。なお、棒状部６２には、高さ方向の中央近傍において、後述するシャワーヘッド４１を支持することが可能なシャワーヘッド支持部６２ａが設けられている。カーテン本体６４は、上端部分に複数のループ止め部６３が設けられており、このループ止め部６３内に枠フレーム６１が挿入された状態になるようにして用いられる。カーテン本体６４は、カーテン背面部６４ａ、カーテン右側面部６４ｂ、カーテン前側部６４ｃ、カーテン左側面部６４ｄを有している。このうち、カーテン前側部６４ｃのみが高さ方向の長さが他の部分よりも長くなるように構成されている。これにより、シャワーカーテン部６０を防水シート３０のシャワーカーテン固定部３５に固定してカーテン本体６４によって利用者を周方向から囲うようにした状態で、カーテン背面部６４ａが防水シート３０の後側面部３４の僅かに前側に位置し、カーテン右側面部６４ｂが防水シート３０の右側面部３２の僅かに左側に位置し、カーテン左側面部６４ｄが防水シート３０の左側面部３３の僅かに右側に位置し、カーテン前側部６４ｃが防水シート３０の座面部３１の前側端部よりも僅かに前側に位置することになる。このため、利用者は、周方向をカーテン本体６４と防水シート３０の右側面部３２、左側面部３３、後側面部３４によって覆われ、下方を防水シート３０の座面部３１によって覆われた状態になり、助手席１２以外の部分への水の飛散を抑制させながらシャワーを利用することが可能になっている。
【００５０】
シャワー部４０は、図３、図６に示すように、シャワーヘッド４１、シャワーホース４２を有している。シャワーホース４２の下端側には、電動ポンプ４４が接続されており、シャワーホース４２の上端側にはシャワーヘッド４１が接続されている。このシャワーヘッド４１は、上述したように、シャワーカーテン部６０の棒状部６２に設けられているシャワーヘッド支持部６２ａに支持させることが可能になっている。
【００５１】
タンク４６は、図３、図６に示すように、内部に水を保持できるように構成された容器であり、例えば、１０〜２０リットルの水を保持することが可能な金属製の容器である。このタンク４６には、上端部に取手４６ａが設けられている。また、タンク４６の上面の一部には、上下方向に貫通したタンク開口４７が設けられており、当該タンク開口４７を塞ぐためのタンク蓋４７ａが設けられている。
【００５２】
カセットコンロ７０は、図３、図６に示すように、タンク４６の下方に配置されており、ガスを燃焼させることでタンク４６内の水を加熱することが可能になっている。
【００５３】
電動ポンプ４４は、図３、図６に示すように、電動式のポンプであり、シャワーホース４２を介してシャワーヘッド４１に接続されるように設けられている。なお、この電動ポンプ４４は、タンク４６のタンク開口４７からタンク蓋４７ａが取り外されている状態で、タンク開口４７に対して固定可能なように構成されている。この電動ポンプ４４は、車両１に設けられているシガーソケット１６を電源として利用できるように、差し込みプラグ４５が設けられている。このようにして、シガーソケット１６から電気の供給を受けて電動ポンプ４４が駆動することにより、タンク４６内の水を汲み上げて、シャワーホース４２を介してシャワーヘッド４１に水を供給することが可能になっている。
【００５４】
電気ヒータ４８は、電動ポンプ４４の下方であって、電動ポンプ４４をタンク４６のタンク開口４７に固定した状態でタンク４６の内部に位置するように設けられている。この電気ヒータ４８についても同様に、電動ポンプ４４が車両１のシガーソケット１６から取得した電源を利用して発熱する。カセットコンロ７０を用いた水の加熱だけでなく、この電気ヒータ４８の発熱を利用しても水を加熱することができる。
【００５５】
（３）特徴
上記実施形態の車載シャワーユニット１００では、車両１の助手席１２に設置し、周囲が水で濡れにくくした状態でシャワーを利用することができる。
【００５６】
ここで、車両１の後部が輸送用の物品を積載する構造となっているトラックやトラクターのように、座席が運転手席１１と助手席１２しか設けられていない車両１では、従来のように車両１の後部にシャワーユニットを積載することができなかった。これに対して、上記実施形態の車載シャワーユニット１００では、助手席１２のスペースを利用して、助手席１２周りを濡らさないようにしてシャワーを利用することが可能になっている。
【００５７】
また、車両１の後部が輸送用の物品を積載する構造となっているトラックやトラクター等では、物品の長距離輸送を行う場合に、交代して運転する人を助手席１２に待機させておくことは人件費を抑える観点から現実的ではなく、助手席１２を備えているにも関わらず助手席１２のスペースが利用されていない状況にあった。これに対して上記実施形態の車載シャワーユニット１００では、このように利用されていない助手席１２のスペースを有効利用することが可能になっている。しかも、防水シート３０において右側面部３２および左側面部３３を設けてシャワーの排水が周囲に流れ出さないように構成した場合であっても、助手席側のドアの下方の助手席側安全窓１５を介して車両１の左前方周囲を容易に視認することができ、車載シャワーユニット１００を助手席に設置したまま運転を開始したとしても安全性を確保することが可能になっている。
【００５８】
また、トラックやトレーラーで物品を長距離輸送する場合等では、仕事を終えて帰宅することができないこともあり、運転手の疲労が生じやすく、疲労が回復しないまま運転を継続するとミスが生じやすくなってしまっていた。これに対して、上記実施形態の車載シャワーユニット１００では、助手席１２に容易に積載可能であるため、帰宅不可能な状態であっても、シャワーを利用することで疲労を軽減させ、リフレッシュした状態で運転を行うことが可能になっている。
【００５９】
また、従来のポータブルシャワーユニットでは、そもそも助手席１２に設置することができず、車両１から取り出してポータブルシャワーユニットを組み立てて起立状態でシャワーを利用しなければならなかった。これに対して、上記実施形態の車載シャワーユニット１００では、助手席１２に設置可能であり、助手席１２の座部２２に座り掛けた状態でもシャワーを利用することが可能になっている。
【００６０】
また、上記実施形態の車載シャワーユニット１００は、車両１の内部でシャワーを利用することができるため、車両１に冷暖房設備が設けられている場合には、温度調節された車両１内の快適空間でシャワーを利用することができる。
【００６１】
また、上記実施形態の車載シャワーユニット１００では、水受け本体５１内に排水を溜めることが可能であるが、このようにして水受け本体５１内に溜まった排水を用いて、衣類の洗濯を行うことも可能になっている。
【００６２】
（４）他の実施形態
上記実施形態では、本考案の実施形態の一例を説明したが、上記実施形態はなんら本願考案を限定する趣旨ではなく、上記実施形態には限られない。本願考案は、その趣旨を逸脱しない範囲で適宜変更した態様についても当然に含まれる。
【００６３】
（４−１）他の実施形態Ａ
上記実施形態では、車両１に設けられているシガーソケット１６を電源として利用できるように電動ポンプ４４には差し込みプラグ４５が設けられている場合を例に挙げて説明した。
【００６４】
しかし、本考案はこれに限られるものではなく、例えば、車両１に一般的な電気コンセントが設けられている場合には、当該電気コンセントを電源として利用することができるようにプラグが構成されていてもよい。
【００６５】
（４−２）他の実施形態Ｂ
上記実施形態では、タンク４６内の水を加熱する手段としてカセットコンロ７０を利用する場合を例に挙げて説明した。
【００６６】
しかし、本考案は、これに限られるものではなく、例えば、電気ヒータ等を利用してタンク４６内の水を加熱するようにしてもよい。
【符号の説明】
【００６７】
１  車両
１２  助手席
１４  助手席用主窓
１５  助手席用安全窓（安全窓）
１６  シガーソケット
２１  背部
２１ａ  背面
２２  座部
２２ａ  座面
３０  防水シート
３１  座面部
３２  右側面部（側面部）
３３  左側面部（側面部）
３４  後側面部
３５  シャワーカーテン固定部
４０  シャワー部
４１  シャワーヘッド
４４  電動ポンプ
４６  タンク
５０  水受け部
６０  シャワーカーテン部
６１  枠フレーム
６２  棒状部
６２ａ  シャワーヘッド支持部
６４  カーテン本体
７０  カセットコンロ（加熱手段）
１００  車載シャワーユニット
【図１】
0003189423.tif 000003
【図２】
0003189423.tif 000004
【図３】
0003189423.tif 000005
【図４】
0003189423.tif 000006
【図５】
0003189423.tif 000007
【図６】
0003189423.tif 000008